(57)【特許請求の範囲】
【請求項１】
光線療法を行うための装置であって、
ヒトが着用するように、かつ１つ又は２つ以上の光学レンズを固定するように、好適にサイズ設定された眼鏡フレームと、
前記眼鏡フレームの着用者の眼上のコンタクトレンズ上に光を提供するように、固定して取り付けられた１つ又は２つ以上の光源と、
提供される前記光を受容するための光散乱区域を備えるコンタクトレンズと、
を備え、
前記１つ又は２つ以上の光源は、前記光散乱区域に向かって光を放射するように構成されており、
前記１つ又は２つ以上の光源から放射された光は、前記光散乱区域を通って前記着用者の前記眼に届けられるように構成されている、
装置。
【請求項２】
前記１つ又は２つ以上の光源が、４５０〜５００ナノメートルの波長で青色光を放射する、請求項１に記載の装置。
【請求項３】
前記１つ又は２つ以上の光源が、４７０〜４８０ナノメートルの波長で青色光を放射する、請求項２に記載の装置。
【請求項４】
前記１つ又は２つ以上の光源が、２，０００〜３，０００ルクスの光を放射する、請求項３に記載の装置。
【請求項５】
前記１つ又は２つ以上の光源が、４７５〜５２５ナノメートルの波長で緑色光を放射する、請求項１に記載の装置。
【請求項６】
前記１つ又は２つ以上の光源が、４９０〜５１０ナノメートルの波長で緑色光を放射する、請求項５に記載の装置。
【請求項７】
前記１つ又は２つ以上の光源が、３００〜４００ルクスの光を放射する、請求項６に記載の装置。
【請求項８】
前記１つ又は２つ以上の光源が、１つ又は２つ以上の発光ダイオードを備える、請求項１に記載の装置。
【請求項９】
１つ又は２つ以上の光導体を備える、請求項８に記載の装置。
【請求項１０】
前記１つ又は２つ以上の光導体が、光ファイバー経路を備える、請求項９に記載の装置。
【請求項１１】
前記１つ又は２つ以上の光源が、前記１つ又は２つ以上の光学レンズの少なくとも一部分上に前記青色光を放射する、請求項４に記載の装置。
【請求項１２】
前記１つ又は２つ以上の光源が、前記１つ又は２つ以上の光学レンズの少なくとも一部分上に前記緑色光を放射する、請求項７に記載の装置。
【請求項１３】
前記眼鏡フレームの前記着用者の前記眼に提供される光の量を制御するための機構を更に備える、請求項１に記載の装置。
【請求項１４】
前記光の量を制御するための機構が、前記眼鏡フレームの前記着用者によって調整され得る、請求項１３に記載の装置。
【請求項１５】
前記光の量を制御するための機構が、ディジタルソフトウェアを実行するプロセッサによって調整され得る、請求項１３に記載の装置。
【請求項１６】
前記光の量を制御するための機構が、前記眼鏡フレームの着用者の血液中で測定されるメラトニンの量に基づいて調整され得る、請求項１３に記載の装置。
【請求項１７】
前記光の量を制御するための機構が、前記眼鏡フレームの着用者がさらされる周囲光の量に基づいて調整され得る、請求項１３に記載の装置。
【請求項１８】
周囲光の量を測定するための前記眼鏡フレームに取り付けられるセンサを更に備え、前記センサが、周囲光の量の指標である電気信号をプロセッサに提供する、請求項１７に記載の装置。
【請求項１９】
前記１つ又は２つ以上の光源と電気的に導通する電源を更に備える、請求項１に記載の装置。
【請求項２０】
前記電源が、再充電可能電池を備える、請求項１９に記載の装置。
【請求項２１】
前記光散乱区域が、前記光源から受容される前記光を回折するための部分を備える、請求項１に記載の装置。
【請求項２２】
前記コンタクトレンズは、中央部分に配された光学ゾーンと、周辺区域と、を備え、前記周辺区域は前記光散乱区域を含む、請求項１に記載の装置。
【請求項２３】
前記光散乱区域は、前記周辺区域内に環を形成する、請求項２２に記載の装置。
【請求項２４】
前記コンタクトレンズは、前記１つ又は２つ以上の光源からの光が前記コンタクトレンズの光学ゾーンに分散されることを防止する内側バリア部分を備える、請求項１に記載の装置。
【発明の詳細な説明】
【技術分野】
【０００１】
（関連出願の相互参照）
本出願は、２０１１年２月４日に出願された米国仮特許出願第６１／４３９，４０２号、及び２０１２年１月３１日に出願された米国特許出願第１３／３６２，２６４号に対する優先権を主張し、これらの内容は依拠され参照により組み込まれる。
【０００２】
（発明の分野）
本発明は、季節性感情障害（ＳＡＤ）の治療及び他の目的のための光線療法送達機構を記載する。より具体的には、いくつかの実施形態では、本発明は、光線療法の知的送達のための機能を有する眼鏡又はコンタクトレン又はこれら双方を提供する。
【背景技術】
【０００３】
季節性感情障害（ＳＡＤ）は、十分に確証された気分障害であり、患者は、１年の特定の季節において、最も頻繁には冬場に、抑うつ症状を経験する。ＳＡＤを患う患者は、多くの場合、１年の大半は、正常な精神的健康を有する。ＳＡＤの症状としては、過剰睡眠、体力の欠如、炭水化物欲求、集中力の欠如、及び社会活動からのひきこもりが挙げられるが、これらに限定されない。この症状が、抑うつ、絶望、悲観、及び喜びの欠如の感情をもたらす。
【０００４】
季節性気分変動は、光への曝露における変化に関連すると考えられている。より少ない昼光時間、より低い日光強度、又はかなり長い期間の曇天空を経験する、極北地方などの地理的地方では、ＳＡＤの発生の程度がより高い。成人集団内のＳＡＤの有病率の変化は、フロリダ及び他の晴天が多い州における低い有病率からアラスカ、ニューハンプシャー及び他の北部又は曇りの日が多い地方における著しく高い有病率までの範囲で、合衆国内で明白である。
【０００５】
光線療法は、典型的な、又は冬期ベースの、季節性感情障害に顕著なかつ有効な処置として研究及び確立されてきた。光線療法は、標準型白熱電球よりもかなり多くのルーメンを放射する装置を使用する。一般的な実装は、１０，０００ルクスにて好ましい明るい白色の全スペクトル光、又は所望により２，５００ルクスにて４８０ｎｍの波長での任意の青色光、若しくは３５０ルクスにて５００ｎｍの波長での緑色光を含む。光線療法では通常、患者が、光源から規定された距離を置いて、毎日３０分から６０分間目を開いた状態で座ることが必要とされる。この季節性処置は、患者が自然光への頻繁な曝露を経験するまで、数週間持続される。多くの患者は、この療法が不便であると感じていて、これはいくつかの研究では１９％までのかなりのパーセンテージであり、これにより、処置を中止する。したがって、新しい方法及びアプローチは、より便利、持続的かつ知的な方法で光線療法を送達することが望ましい。
【発明の概要】
【課題を解決するための手段】
【０００６】
結果的に、本発明は、光線療法を着用者に送達することが可能な眼鏡を含む。この眼鏡レンズ又はフレームは、電力、センサ、プロセッサ、及び眼鏡のつる内に収容される他の構成部品と論理的かつ電気的に導通している、埋め込まれた光源を特徴とする。
【０００７】
加えて、いくつかの実施形態では、眼鏡レンズ又はフレームは、着用者の眼に光を屈折又は回折させる相補的なコンタクトレンズに光を投影する。
【０００８】
更に別の態様では、いくつかの実施形態において、眼鏡フレームは、光線療法のための光源を有するコンタクトレンズと無線通信するセンサ及び電力をもたらす。
【０００９】
最終的に、コンタクトレンズは、埋め込まれた光源及び補助電子回路を備えてもよい。この実施形態では、眼鏡は含まれない。
【図面の簡単な説明】
【００１０】
【図１】本発明のいくつかの実施形態による、レンズ内に埋め込まれた光源と眼鏡のつる内に収容される補助電子回路とを備える眼鏡の背面図。
【図２】本発明のいくつかの実施形態による、レンズ内に埋め込まれた光源を備える眼鏡の正面図。
【図３】本発明のいくつかの実施形態による、埋め込まれた光源を備える眼鏡の大写し図。
【図４】本発明のいくつかの実施形態による、眼鏡フレームに取り付けられた、埋め込まれた光源を備える眼鏡の大写し図。
【図５】本発明のいくつかの実施形態による、補助電子回路を収容する眼鏡のつる部品の一部分を示す。
【図６】本発明のいくつかの実施形態による、補助電子回路を示すよう開かれた眼鏡のつる部品の一部分。
【図７】本発明のいくつかの実施形態による、眼鏡のつる部品内からの補助電子回路の一方の側面を示す。
【図８】本発明のいくつかの実施形態による、眼鏡のつる部品内からの補助電子回路の第２の側面を示す。
【図９】本発明のいくつかの実施形態による、フレーム内に埋め込まれた光源を備える眼鏡の底面図。
【図１０】本発明のいくつかの実施形態による、相補的コンタクトレンズに光を向ける、埋め込まれた光源を備える眼鏡レンズの断面図。
【図１１】本発明のいくつかの実施形態による、光源を有するコンタクトレンズと無線通信する補助電子回路を備える眼鏡の断面図。
【発明を実施するための形態】
【００１１】
本発明は、埋め込まれた光源を備える眼鏡を使用して、光線療法を送達するための方法及び装置を包含する。加えて、本発明は、眼鏡と相補的コンタクトレンズとの組み合わせを使用して、光線療法を送達することを包含する。本発明はまた、埋め込まれた光源を備えるコンタクトレンズのみを使用して、光線療法を送達することを包含する。
【００１２】
以下の各項では、本発明の実施形態のより詳細な説明を与える。好ましい実施形態及び代替の実施形態の両方の説明は、代表的な実施形態に過ぎず、変形、修正、及び代替が当業者にとって明白であり得ることが理解される。したがって、上述した代表的な実施形態は、基礎となる発明の範囲を限定するものではないと理解されるべきである。
【００１３】
用語解説
本発明を対象とする本説明文及び「特許請求の範囲」においては様々な用語が使用され得るが、これらには以下の定義が適用される。
【００１４】
相補的コンタクトレンズ：本明細書で使用するとき、光線療法を送達するために一緒に使用される、特殊な機能を有するコンタクトレンズ及び眼鏡を指す。
【００１５】
コンタクトレンズ：眼内又は眼上に存在する、任意の眼用装置を指す。これらの装置は視覚矯正を与えるものか、又は美容的なものであり得る。例えば「レンズ」なる用語は、コンタクトレンズ、眼内レンズ、オーバーレイレンズ、眼用インサート、光学インサート、又は視力を矯正若しくは調節するか、又は視力を妨げることなく目の生理機能を美容的に強調する（例えば虹彩色）他の同様の装置のことを指し得る。実施形態によっては、本発明の好ましいレンズは、シリコーンヒドロゲルを含むがこれに限定されないシリコーンエラストマー又はヒドロゲル、及びフルオロヒドロゲルから作製される、ソフトコンタクトレンズである。
【００１６】
知的光線療法：本明細書で使用するとき、光線療法を送達するための方法で、これによって、プロセッサが多様なデータを評価し、データ解析に基づいて、プログラムされた光線療法計画に補償調整をダイナミックに行うものを指す。周辺光への使用者の曝露に基づく調整光線療法は、知的光線療法の一例である。
【００１７】
光線療法：本明細書で使用するとき、多様な装置で制御され、特定の時間、特定の強度で、場合によっては特定の時間帯に投与される、光の特定の波長への曝露を指す。
【００１８】
ルクス：本明細書で使用するとき、国際単位系（ＳＩ）における照明の単位を指す。ルクスは、単位面積当たりの発光量の度量をもたらす。１ルクスは、１ルーメンが１平方メートルの面積上に均等に分布する場合にもたらされる照明の量である。これはまた、１国際燭の点光源から１メートルにある表面の全ての点上に存在すると考えられる照明と等価である。１ルクスは、０．０９２９フィート燭光に等しい。
【００１９】
光学ゾーン：本明細書で使用するとき、眼科用レンズの着用者がそこを通して見ることになる、眼科用レンズの領域を指す。
【００２０】
プログラムされた光線療法計画：本明細書で使用するとき、データ、地理的地域、及び使用者の季節性感情異常症状の重篤性などの可変要素に基づいて、光線療法の時期、持続時間及び強度を制御する自動指示のセットを指す。プログラムされた光線療法計画は、眼科専門医、医師、又は使用者によって設定され得る。
【００２１】
季節性感情障害（ＳＡＤ）：本明細書で使用するとき、日光への曝露が制限される場合に、季節間に発症する気分障害で、抑うつの症状によって特徴付けられ、かつ春の到来又は光線療法によって緩和されるものを指す。冬に患者によって通常経験される抑うつの再発状態は、日光の不足に関連すると考えられる。
【００２２】
ここで図１を参照すると、レンズ１０３内に埋め込まれた光源１０２を備えた眼鏡フレーム１０１の背面図を図示する。光源１０２はまた、レンズ１０３の表面上に取り付けられてもよい。光源１０２は、発光ダイオード（ＬＥＤｓ）、又は４５０〜５００ナノメートル、最も好ましくは４７０〜４８０ナノメートルの波長で、かつ２，０００〜３，０００ルクスにて青色光を放射する他の光を含んでもよい。あるいは、ＬＥＤｓ又は他の光は、４７５〜５２５ナノメートル、最も好ましくは４９０〜５１０ナノメートルの波長で、かつ３００〜４００ルクスにて緑色光を放射してもよい。更に、光源１０２は、可能にする任意の他の方法で固定されてもよい。
【００２３】
別の実施形態では、単一の光源は、照明をもたらすために、眼鏡レンズ１０３又は眼鏡フレーム１０１内の１つ又は２つ以上の場所に導体で送られてもよい。光導体としては、例えば、光ファイバー経路を挙げることができる。
【００２４】
照明された光源の例を、１０４に図示する。光源１０２は、照明がオブザーバに明白ではないように、着用者の眼に向かって照明をもたらす。
【００２５】
別の実施形態では、光源１０２は、光がレンズ１０３に向けられるよう配置される。レンズ１０３は、光が特異的に向けられる区域内の光散乱特性、又はレンズ１０３の全体にわたる光散乱特性を有してもよい。光散乱区域は、回折特性、屈折特性、反射特性、又は回折、屈折及び反射特性の任意の組み合わせを含んでもよい。光散乱区域は、光を拡散するよう作用し、使用者の眼前のまぶしい光線よりはむしろ柔らかく輝く光線の提示を達成する。いくつかの好ましい実施形態では、光散乱区域は、眼鏡レンズ１０３の周囲区域内にリングを形成することができ、そしてレンズ１０３の中央部分内の光散乱区域と光学ゾーンとの間の内部のバリアを含むことができる。内部のバリアは、光線療法を目的とする光が、レンズ１０３の光学ゾーン内に分散することを防止して、正常視力への光線療法発光の影響を最小限にとどめる。更に他の実施形態では、レンズ１０３の全体が、埋め込まれた光源１０２によって放射される波長の光のみを分散するよう設計された光散乱特性を有する。この実施形態は、正視に影響を及ぼす光波長の分散を起こさないと同時に、光療法を目的とする光波長の最大分散を支持する。レンズ１０３は、使用者の光線療法又は視覚を低下させないと同時に、オブザーバによって気付かれ易い光線療法の発光を遮蔽するコーティングを有してもよい。
【００２６】
本実施形態では、光源１０２は、導電経路１０５を介して互いに接続されている。導電経路１０５は、レンズ１０３内に埋め込まれたワイヤであってもよく、又はパッド印刷、スパッタ層、蒸着又は他の既知の方法を介してレンズ１０３の表面に施された、例えば金、銅、銀又は他の金属、又は導電ファイバーなどの導電材料であってもよい。導電経路１０５は、一方又は双方のつる部品１０９内に収容される補助電子回路と電気的かつ論理的に連通している。いくつかの実施形態では、補助電子回路は、これらが、例えばヒンジ１０７付近の区域、レンズ１０８の上部のフレーム内、ブリッジ１１０内、イヤピース１１１内、又は他の区域などの眼鏡の他の区域内に収容され得るように小型化されている。
【００２７】
１つ又は２つ以上の光センサ１０６が、周囲の白色光、青色光又は緑色光を検出するために使用される。光センサ１０６は、ヒンジ１０７付近の眼鏡フレーム１０１内、レンズ１０８上部のフレーム内、つる部品１０９内、ブリッジ１１０内、又は頭髪などによってセンサ１０６が妨害されない他の適切な区域内に位置し得る。光センサ１０６は、一方又は双方のつる部品１０９内又は眼鏡の他の区域内に収容される補助電子回路と電気的かつ論理的に連通している。
【００２８】
いくつかの実施形態では、スイッチ又はボタンなどの使用者制御要素１１２が、使用者が光線療法の時期、持続時間及び強度を調整することを可能にするよう設けられている。１つ又は２つ以上の使用者制御要素１１２は、つる部品１０９内に、又は、例えば、ヒンジ１０７付近の区域に、レンズ１０８の上部のフレーム内に、ブリッジ１１０内、イヤピース１１１内、若しくは他の区域などの眼鏡の他の区域内に存在してもよい。いくつかの実施形態は、基準操作状態をもたらし、ここでは、使用者が適切な時間で治療を開始又は停止させることによって、光線療法が手動で制御される。
【００２９】
本実施形態によると、プログラムされた光線療法計画は、例えば、日付、地理的地域、及び使用者の季節性感情障害の症状の重篤性などの可変要素に基づいて、光線治療の時期、持続時間及び強度を自動的に調整することができる。プログラムされた光線療法計画は、眼科専門医、医師、又は使用者によって設定され得る。プログラムされた光線療法中には、使用者が、例えば読書中、コンピュータで仕事中、又は運転中に光の強度を減少させるなど、活動に基づいて、使用者が光の強度を調整することが望ましい場合がある。逆に、休憩時間、昼休み、又は視覚的にあまり活動的ではない時間中には、光の強度を増加させることが望ましい場合がある。いくつかの実施形態では、プロセッサがプログラムされた光線療法計画への手動変更を評価し、かつ処置の持続時間及び強度において補償調整をもたらす場合、知的光線療法が送達される。更に他の実施形態では、知的光線療法は、光センサ１０６からのデータがプロセッサによって解析される場合に達成され、プログラムされた光線療法計画は、周囲光への着用者の曝露に基づいてダイナミックに調整される。
【００３０】
本発明の別の実施形態では、使用者は、メラトニン濃度に関する血液試験の結果に基づいて光線療法を手動で調整することもできる。松果腺によって生成されるメラトニンは、光によって阻害され、暗さと共に増加する。メラトニンのより高い濃度は、季節性感情障害の症状である眠気及び昏睡を促進する。患者の血液中のメラトニンの濃度の解析は、光線療法を増加又は減少させるための指針として使用され得る。
【００３１】
更に他の実施形態では、使用者は、使用者の睡眠周期を意図的に変更するために、光線療法を手動で調整してもよい。睡眠周期変更のための光線療法の使用は、夜勤シフトで働く人、著しく異なる時間帯に旅行する人、夜間業務に備える軍人、及び他の用途に有用であり得る。更に、起床時に使用者によって開始される光線療法は、遅延睡眠相症候群（ＤＳＰＳ）及び非２４時間睡眠覚醒症候群などの概日リズム障害を処置するために使用され得る。
【００３２】
ここで図２を参照すると、レンズ２０３内に埋め込まれた光源２０２を備える眼鏡フレーム２０１の正面図を図示する。光源２０２は、導電経路２０４を介して互いに接続されている。
【００３３】
ここで図３を参照すると、図示したものは、導電経路３０３を介して接続された、埋め込まれた光源３０２を備える単一の眼鏡レンズ３０１の大写し図である。本出願に記載される実施形態は、レンズ３０１当たり８つの光源３０２を示しているが、他の実施形態は、レンズ３０１当たりより少ない又はより多くの光源３０２を有してもよく、またレンズ３０１内の様々な場所及びパターンで光源３０２を有してもよい。尺度の感覚をもたらすために、レンズ３０１は、標準米国２５セント硬貨３０４の上に配置されて示される。この図では示されないが、光源３０２と補助電子回路との間の電気的導通を提供するための機構がある。電気的導通は、例えば、１対の眼鏡のつる内に位置する光源の間の導電接触を介して、導電ワイヤ、導電リボンワイヤを介して、又はインダクタンスなどの無線モードを介して、提供され得る。インダクタンスは、レンズ又はレンズフレーム内に位置するアンテナ、及びつる部品又は他の近接する場所からアンテナに電力を送る電源を介して達成され得る。
【００３４】
ここで図４を参照すると、導電経路４０３を介して接続される、埋め込まれた光源４０２を備える単一の眼鏡レンズ４０１の大写し図が、眼鏡フレーム４０４に取り付けられて図示されている。
【００３５】
ここで図５を参照すると、図示したものは、補助電子回路を収容する眼鏡のつる部品５０１の一部分の大写し図である。つる部品５０１は、隙間５０２によって証明されるように、完全に閉じられていない。ＵＳＢコネクタ５０３は、例えば、つる部品５０１内の電池を充電するなどの電気的接続のために使用される。ＵＳＢコネクタ５０３はまた、例えば、補助電子回路に保存される使用者固有のプログラムされた光線療法計画の読み込み、又は使用法及びセンサデータのオフロードなどの論理的情報伝送のために使用される。ヒンジ区域５０４を見ることができるが、この時点でつる部品５０１は眼鏡フレームに接続している。尺度の目的で、つる部品５０１は、標準米国２５セント硬貨５０５に近接して示されている。
【００３６】
ここで図６を参照すると、眼鏡のつる部品６０１の大写しが、ここでは補助電子回路ケーシング６０２の上部半分が取り除かれて図示される。補助電子回路６０３を収容する回路基板は、電池６０４、プロセッサ６０５、及びＵＳＢコネクタ６０６を含んで表示されている。配線６０７は、補助電子回路６０３と光源及び光センサなどの他の構成部品との間の論理的かつ電気的な導通をもたらす。ヒンジ区域６０８を見ることができるが、ここでつる部品６０１は眼鏡フレームに接続している。尺度の感覚をもたらすために、つる部品６０１は、標準米国２５セント硬貨６０９に隣接して示されている。
【００３７】
ここで図７を参照すると、補助電子回路７０１を収容する回路基板の第１の側面の平面図を図示する。この回路基板７０１は、その中で回路基板が図５及び６に記載されたケーシングから取り外されて示されている。回路基板７０１は、電池７０２、プロセッサ７０３、電力端子７０４、及びＵＳＢコネクタ７０５を含む。電力端子７０４に連結された配線７０６は、回路基板７０１上の補助電子回路と光源及び光センサなどの他の構成部品との間の論理的かつ電気的な導通をもたらす。プロセッサ７０３は、例えば、メモリに格納された、プログラムされた光線療法計画を実行するように、光センサデータを解析し、かつ周囲光への着用者の曝露に基づいて特有の光線療法計画を決定するように、プログラムされた光線療法計画への手動変更を評価し、かつ補償調整をもたらすように、並びに装置の故障を検出するために光源及び光センサデータを解析するように使用され得る。電力端子７０４は、配線７０６の接続を可能にして、回路基板７０１上の補助電子回路と光源及び光センサなどの他の構成部品との間の論理的かつ電気的な連通を許可する。尺度の感覚をもたらすために、回路基板７０１は、標準米国２５セント硬貨７０７に近接して示されている。
【００３８】
ここで図８を参照すると、図示されているものは、補助電子回路８０１を収容する回路基板の第２の側面の平面図である。回路基板８０１は、その中で回路基板が図５及び６に記載されたケーシングから取り外されて示されている。回路基板８０１は、メモリ８０２、キャパシタ８０３、及び電力端子８０４を含む。図７のＵＳＢコネクタ（７０５）は、図８では８０５で見られる。尺度の目的で、回路基板８０１は、標準米国２５セント硬貨８０６に近接して示されている。メモリ８０２は、非限定的例としては、事前プログラムされた光線療法計画を格納するように、光センサによって捕捉されたデータを格納するように、実際の光線療法の日付、時間、持続時間及び強度を格納するように、並びに装置の故障を検出するために光源及び光センサ操作に関連するデータを格納するように使用され得る。
【００３９】
ここで図９を参照すると、例示されているものは、レンズ９０３の上部の眼鏡フレーム９０１に埋め込まれた光源９０２を備える眼鏡フレーム９０１の底面図である。光源９０２は、眼鏡フレーム９０１内に埋め込まれてもよく、又は眼鏡フレーム９０１の表面上に取り付けられてもよい。光源９０２は、図９には図示されていないが、導電経路によって互いに接続されている。導電経路は、眼鏡フレーム９０１内に埋め込まれたワイヤであってもよく、又は、パッド印刷、スパッタ層、蒸着若しくは他の既知の方法を介して眼鏡フレーム９０１の表面に施された、例えば金、銀、銅若しくは他の金属材料などの導電材料又は導電ファイバーであってもよい。導電経路は、光源９０２が一方又は双方のつる部品９０４内に収容される補助電子回路と電気的かつ論理的に導通することを可能にする。いくつかの実施形態では、補助電子回路は、例えば、ヒンジ９０５付近の区域内に、レンズ９０１の上部のフレーム内に、ブリッジ９０６内に、イヤピース内に（図９には図示せず）、又は他の区域内などの他の眼鏡区域内に補助電子回路が収容され得るように小型化されている。光源９０２は、光がレンズ９０３上に向けられるように配置される。レンズ９０３は、光が特異的に向けられる区域内の光散乱特性、又はレンズ全体にわたる光散乱特性を有することができる。光散乱区域は、回折特性、屈折特性、反射特性、又は回折、屈折及び反射特性の任意の組み合わせを含むことができる。光散乱区域は、光を拡散するように作用し、使用者の眼前のまぶしい光線よりはむしろ柔らかく輝く光線の提示を達成する。レンズ９０３は、使用者の光線療法又は視覚に影響を及ぼさないと同時に、オブザーバによって気付かれ易い光線療法の発光を遮蔽するコーティングを有してもよい。
【００４０】
ここで図１０を参照すると、相補的コンタクトレンズを含む実施形態を図示する。断面図１０００は、光１００３を相補的コンタクトレンズ１００５の光散乱区域１００４に向ける、埋め込まれた光源１００２を備える眼鏡レンズ１００１を含む。光散乱区域１００４により、光１００６が眼１００８の角膜１００７に対して分散される。光散乱区域１００４は、回折特性、屈折特性、反射特性、又は回折、屈折及び反射特性の任意の組み合わせを含むことができる。
【００４１】
いくつかの実施形態では、断面図１０００は、平面図であることができ、ここでは、１つ又は２つ以上の埋め込まれた光源１００２が、眼鏡レンズ１００１の側面付近に配置されている。他の実施形態では、断面図１０００は、側面図であり得るため、１つ又は２つ以上の埋め込まれた光源１００２が、眼鏡レンズ１００１の上部及び底部付近に配置される。更に他の実施形態では、埋め込まれた光源１００２は、眼鏡レンズ１００１よりもむしろ眼鏡フレーム内に埋め込まれるか又は眼鏡フレーム上に取り付けられてもよい。埋め込まれた光源１００２は、発光ダイオード（ＬＥＤｓ）、又は光線療法のための光１００３を放射する他の光源１００２を含む。光源１００２は、発光ダイオード（ＬＥＤｓ）、又は４５０〜５００ナノメートル、最も好ましくは４７０〜４８０ナノメートルの波長で、かつ２，０００〜３，０００ルクスにて青色光を発光する他の光を含んでもよい。あるいは、ＬＥＤｓ又は他の光は、４７５〜５２５ナノメートル、最も好ましくは４９０〜５１０ナノメートルの波長で、かつ３００〜４００ルクスにて緑色光を発光してもよい。別の実施形態は、照明をもたらすように、眼鏡レンズ１００１内又は眼鏡フレーム内の１つ又は２つ以上の場所に光が導体で送られる単一の光源を含む。
【００４２】
図示していないが、補助電子回路が眼鏡フレーム内に収容されていて、例えば、光センサ、電池、キャパシタ、メモリ、プロセッサ、及びＵＳＢコネクタなどの構成部品を含む。補助電子回路は、光源１００２と論理的かつ電気的に導通している。電気的導通は、例えば、１対の眼鏡のつる内に位置する光源間の導電接触を介して、導電ワイヤ、導電リボンワイヤを介して、又はインダクタンスなどの無線モードを介してもたらされ得る。インダクタンスは、例えば、レンズ又はレンズフレーム内に位置するアンテナ、及び電力をつる部品又は他の近接する場所からアンテナに送達する電力源を介して達成され得る。
【００４３】
いくつかの実施形態では、相補的コンタクトレンズ１００５の光散乱区域１００４は、方向付けされた光１００３が、限定された標的区域に衝突する必要がないように、相補的コンタクトレンズ１００５の周囲区域内にリングを形成する。したがって、眼鏡レンズ１００１内の光源１００２に対する眼１００８上の相補的コンタクトレンズ１００５の向きは、光１００３が、相補的コンタクトレンズ１００５の周囲区域の周辺で切れ目がなく存在する光散乱区域１００４に向かって方向付けられる場合には、重要ではない。
【００４４】
いくつかの好ましい実施形態では、相補的コンタクトレンズ１００５は、光散乱区域１００４とレンズの中央部分内の光学ゾーンとの間に内部のバリアを含んでもよい。内部のバリアは、光線療法を目的とする光１００３が相補的コンタクトレンズ１００５の光学ゾーン内に分散することを抑制する。このように、光線療法を目的とする光１００３は、角膜１００７の周辺部にのみ分散して、正視に及ぼすこの影響を最小限にとどめる。
【００４５】
更に他の実施形態では、相補的コンタクトレンズ１００５の全体が、回折、屈折及び反射などの光散乱特性を有する。光散乱特性は、埋め込まれた光源１００２によって放射される波長の光１００３のみを分散するように設計される。本実施形態は、正視に影響を及ぼす光波長の分散を引き起こさないと同時に、眼１００８内の光線療法を目的とする光１００３波長の最大分散を支持する。
【００４６】
ここで図１１を参照すると、眼鏡フレーム及び相補的コンタクトレンズを含む実施形態が図示される。断面図１１００は、補助電子回路１１０２を収容する眼鏡フレーム１１０１を含む。補助電子回路１１０２は、例えば、光センサ、電池、キャパシタ、メモリ、プロセッサ、及びＵＳＢコネクタなどの構成部品を含み得る。補助電子回路１１０２は、光１１０６を眼１１０８の角膜１１０７上に向ける、埋め込まれた電源１１０４を収容する相補的コンタクトレンズ１１０５と無線通信１１０３する。補助電子回路１１０２は、眼鏡フレーム１１０１内に埋め込まれた又は眼鏡フレーム１１０１上に取り付けられた多様な場所に配置され得る。他の実施形態では、補助電子回路１１０２は、光センサが使用者によって経験される周囲光を検出するように、宝飾品、帽子、衣類、又は使用者によって着用される他の品目に含まれてもよく、また補助電子回路１１０２は、無線通信の目的で、相補的コンタクトレンズ１１０５の近辺に置かれる。通信の無線モードとしては、例えば、インダクタンスを挙げることができる。インダクタンスは、相補的コンタクトレンズ１１０５内に位置するアンテナ、及び眼鏡フレーム１１０１、宝飾品、衣類、又はアンテナに近接する他の品目から電力を送達する電源を介して達成され得る。
【００４７】
本発明のいくつかの実施形態では、断面図１１００は、平面図であることができ、ここでは、補助電子回路１１０２が、眼鏡フレーム１１０１の側面付近に配置されている。他の実施形態では、断面図１１００は、側面図であり得るため、補助電子回路１１０２が、眼鏡フレーム１１０１の側面の上部及び底部付近に配置される。相補的コンタクトレンズ１１０５の周辺部に、埋め込まれた光源１１０４の数及び埋め込まれた光源１１０４の配列は、変動する場合がある。埋め込まれた光源１１０４は、発光ダイオード（ＬＥＤｓ）、又は光線療法のための光１１０６を放射する他の光源１１０４を含む。光源１１０４は、発光ダイオード（ＬＥＤｓ）、又は４５０〜５００ナノメートル、最も好ましくは４７０〜４８０ナノメートルの波長で、かつ２，０００〜３，０００ルクスにて青色光を放射する他の光を含んでもよい。あるいは、ＬＥＤｓ又は他の光が、４７５〜５２５ナノメートル、最も好ましくは４９０〜５１０ナノメートルの波長で、かつ３００〜４００ルクスにて緑色光を放射し得る。別の実施形態は、照明をもたらすために、相補的コンタクトレンズ１１０５内の１つ又は２つ以上の場所に光が導体で送られる単一光源を含む。
【００４８】
いくつかの実施形態では、光源１１０４は、その中に光源１１０４が埋め込まれている相補的コンタクトレンズ１１０５の内部部分に光１１０６を向けることができる。光１１０６は、示されてはいないが、回折特性、屈折特性、反射特性、又は回折、屈折及び反射特性の任意の組み合わせを含む光散乱区域に向けられ得る。光散乱区域は、相補的コンタクトレンズ１１０５の周囲区域内にリングを形成する場合がある。光散乱区域に衝突する光１１０６は、一般的に、眼１１０８の角膜１１０７上に光１１０６の広い分散を引き起こす。
【００４９】
いくつかの好ましい実施形態では、相補的コンタクトレンズ１１０５は、レンズの周辺部の光散乱区域とレンズの中央部分内の光学ゾーンとの間に内部のバリアを含むことができる。内部のバリアは、光線療法を目的とした光１１０６が、相補的コンタクトレンズ１１０５の光学ゾーン内に分散されることを防止する。このようにして、光線療法を目的とした光１１０６が、角膜１１０７の周囲部に分散され、これによって正視に及ぼすその影響を最小限にとどめる。
【００５０】
更に他の実施形態では、相補的コンタクトレンズ１１０５の全体が、回折、屈折又は反射などの光散乱特性を有する。光散乱特性は、埋め込まれた光源１１０４によって放射される光１１０６のみを散乱するよう設計される。本実施形態は、視野をゆがめる光１１０６波長の分散を引き起こさないと同時に、眼１１０８内の光線療法を目的とする光の波長の最大分散を支持する。
【００５１】
結論
本発明は、上記の通り、及び以下の特許請求の範囲で更に画定される通りに、埋め込まれた光源を備える眼鏡を使用する、眼鏡及び相補的コンタクトレンズを使用する、又は埋め込まれた光源を備えるコンタクトレンズを使用する、光線療法を送達するための方法及び装置を提供する。
【００５２】
〔実施の態様〕
（１）  光線療法を行うための装置であって、
ヒトが着用するように、かつ１つ又は２つ以上の光学レンズを固定するように、好適にサイズ設定された眼鏡フレームと、
前記眼鏡フレームの着用者の眼上のコンタクトレンズ上に光を提供するように、固定的に取り付けられる１つ又は２つ以上の光源と、
提供される前記光を受容するための部分を備えるコンタクトレンズと、を備える、装置。
（２）  前記光源が、４５０〜５００ナノメートルの波長で青色光を放射する、実施態様１に記載の装置。
（３）  前記光源が、４７０〜４８０ナノメートルの波長で青色光を放射する、実施態様２に記載の装置。
（４）  前記光源が、約２，０００〜３，０００ルクスの光を放射する、実施態様３に記載の装置。
（５）  前記光源が、４７５〜５２５ナノメートルの波長で緑色光を放射する、実施態様１に記載の装置。
【００５３】
（６）  前記光源が、４９０〜５１０ナノメートルの波長で緑色光を放射する、実施態様５に記載の装置。
（７）  前記光が、約３００〜４００ルクスの光を放射する、実施態様６に記載の装置。
（８）  前記光源が、１つ又は２つ以上の発光ダイオードを備える、実施態様１に記載の装置。
（９）  装置が、１つ又は２つ以上の光導体を備える、実施態様８に記載の装置。
（１０）  前記１つ又は２つ以上の光導体が、光ファイバー経路を備える、実施態様９に記載の装置。
【００５４】
（１１）  前記光源が、前記１つ又は２つ以上の光学レンズの少なくとも一部分上に前記青色光を放射する、実施態様４に記載の装置。
（１２）  前記光源が、前記１つ又は２つ以上の光学レンズの少なくとも一部分上に前記青色光を放射する、実施態様７に記載の装置。
（１３）  前記眼鏡フレームの前記着用者の前記眼に提供される光の量を制御するための機構を更に備える、実施態様１に記載の装置。
（１４）  前記光の量を制御するための機構が、前記眼鏡フレームの前記着用者によって調整され得る、実施態様１３に記載の装置。
（１５）  前記光の量を制御するための機構が、ディジタルソフトウェアを実行するプロセッサによって調整され得る、実施態様１３に記載の装置。
【００５５】
（１６）  前記光の量を制御するための機構が、前記眼鏡フレームの着用者の血液中で測定されるメラトニンの量に基づいて調整され得る、実施態様１３に記載の装置。
（１７）  前記光の量を制御するための機構が、前記眼鏡フレームの着用者がさらされる周囲光の量に基づいて調整され得る、実施態様１３に記載の装置。
（１８）  周囲光の量を測定するための前記眼鏡フレームに取り付けられるセンサを更に備え、前記センサが、周囲光の量の指標である電気信号を前記プロセッサに提供する、実施態様１７に記載の装置。
（１９）  前記１つ又は２つ以上の光源と電気的に導通する電源を更に備える、実施態様１に記載の装置。
（２０）  前記電源が、再充電可能電池を備える、実施態様１９に記載の装置。
【００５６】
（２１）  前記コンタクトレンズが、前記光源から受容される前記光を回折するための部分を備える、実施態様１に記載の装置。
（２２）  前記コンタクトレンズが、前記光源から受容される前記光を収束するための部分を備える、実施態様１に記載の装置。
（２３）  光線療法を行うための装置であって、
ヒトが着用するように、かつ１つ又は２つ以上の光学レンズを固定するように、好適にサイズ設定された眼鏡フレームと、
前記眼鏡フレームに固定的に取り付けられ、前記眼鏡フレームの着用者の眼上のコンタクトレンズに電力を供給することが可能な１つ又は２つ以上のエネルギー源と、
前記エネルギー源によって供給される前記電力を動力とする光源を備えるコンタクトレンズと、を備える、装置。
（２４）  前記光源が、４５０〜５００ナノメートルの波長で青色光を放射する、実施態様２３に記載の装置。
（２５）  前記光源が、４７０〜４８０ナノメートルの波長で青色光を放射する、実施態様２４に記載の装置。
【００５７】
（２６）  前記光源が、約２，０００〜３，０００ルクスの光を放射する、実施態様２５に記載の装置。
（２７）  前記光源が、４７５〜５２５ナノメートルの波長で緑色光を放射する、実施態様２３に記載の装置。
（２８）  前記光源が、４９０〜５１０ナノメートルの波長で緑色光を放射する、実施態様２７に記載の装置。
（２９）  前記光が、約３００〜４００ルクスの光を放射する、実施態様２８に記載の装置。
（３０）  前記光源が、１つ又は２つ以上の発光ダイオードを備える、実施態様２３に記載の装置。
【図１】
0005992450.tif 000002
【図２】
0005992450.tif 000003
【図３】
0005992450.tif 000004
【図４】
0005992450.tif 000005
【図５】
0005992450.tif 000006
【図６】
0005992450.tif 000007
【図７】
0005992450.tif 000008
【図８】
0005992450.tif 000009
【図９】
0005992450.tif 000010
【図１０】
0005992450.tif 000011
【図１１】
0005992450.tif 000012